(57)【要約】【課題】簡素な構造で、シートの先端部の変形を防止して、シートの給紙性能の劣化を抑制する。【解決手段】シート供給装置１３は、給紙ローラ駆動軸２７にて回転される給紙ローラ１５と、揺動自在となってシートのセット時に給紙ローラ１５にシートが接触しないようにガイドする原稿ガイド１７と、給紙ローラ駆動軸２７に連動して回転されシートの送り時に給紙ローラ１５にシートが接触するように原稿ガイド１７を揺動させる原稿ガイドカム１９と、シートのセット時にシートの先端部が突き当たるゲート２１と、ゲート２１に係止してシートの先端部がゲート２１に突き当たる位置にゲート２１の揺動を規制するゲートロックレバー２３と、給紙ローラ駆動軸２７に連動して回転し、原稿ガイド１７の揺動が開始する前にゲートロックレバー２３のゲート２１に対する揺動の規制を解除するゲートロックレバーカム２５とを含む。【選択図】図３
2015160688.tif 000002
【特許請求の範囲】
【請求項１】
給紙ローラ駆動軸によって回転する給紙ローラと、
揺動自在に支持され、シートのセット時に前記給紙ローラに前記シートが接触しないようにガイドする原稿ガイドと、
前記給紙ローラ駆動軸に連動して回転し、前記シートの送り時に前記給紙ローラに前記シートが接触するように前記原稿ガイドを揺動させる原稿ガイドカムと、
揺動自在に支持され、前記シートのセット時に前記シートの先端部が突き当たるゲートと、
前記ゲートに係止し、前記シートの先端部が前記ゲートに突き当たる位置に前記ゲートの揺動を規制するゲートロックレバーと、
前記給紙ローラ駆動軸に連動して回転し、前記シートの送り時の前記原稿ガイドの揺動が開始する前に前記ゲートロックレバーの前記ゲートに対する揺動の規制を解除するゲートロックレバーカムと、を備える、
シート供給装置。
【請求項２】
請求項１に記載のシート供給装置であって、
前記給紙ローラの上方に前記原稿ガイドが配設され、
前記原稿ガイドが下り傾斜方向に揺動することで、前記原稿ガイドにガイドされた最下層の前記シートが前記給紙ローラに接触する、
シート供給装置。
【請求項３】
請求項１又は２に記載のシート供給装置であって、
前記給紙ローラが前記給紙ローラ駆動軸に結合し、
前記原稿ガイドカム及び前記ゲートロックレバーカムがトルクリミッタを介して前記給紙ローラ駆動軸に連動され、
前記給紙ローラ駆動軸を逆転させ前記原稿ガイドカム及び前記ゲートロックレバーカムの最大外径屈曲部をストッパに当て前記トルクリミッタを作動させることで、前記原稿ガイドカム及び前記ゲートロックレバーカムを回転方向の原点位置に復帰させる、
シート供給装置。
【請求項４】
請求項１〜３のうちいずれか一項に記載のシート供給装置と、
前記シート供給装置によって送られた前記シートの画像を読み取る読取装置と、を備える、
画像読取装置。
【発明の詳細な説明】
【技術分野】
【０００１】
本発明は、用紙を搬送するシート供給装置及び画像読取装置に関する。
【背景技術】
【０００２】
画像読取装置には、例えば用紙（シート）を搬送するための給紙装置と、用紙を読み取るための読取装置とが設けられる。給紙装置は、複数の用紙をセットする待機状態から用紙を読取装置に搬送する給紙状態へ移行することで、ピックローラを用紙に接触させて給紙する。ところが、給紙装置では、待機状態でピックローラが用紙に接触すると、用紙の先端部が変形してしまい、給紙性能が劣化することがある。このような不具合を解消する先行技術として、特許文献１の給紙装置が知られている。
【０００３】
図９（Ａ）は、従来の給紙装置の待機状態の側面図である。図９（Ｂ）は、従来の給紙装置の給紙開始時の側面図である。図９（Ｃ）は、従来の給紙装置の給紙状態の側面図である。図９（Ａ）に示すように、給紙装置５０１は、セットローラ５０３と、セットローラ５０３を回転させる駆動力を発生するモータ（不図示）と、用紙Ｐの搬送方向Ｂへの移動を禁止する待機位置と用紙Ｐの搬送方向Ｂへ搬送を許容する給紙位置との間で揺動するフラップ５０５と、用紙Ｐとセットローラ５０３とを離間させる待機位置から用紙Ｐとセットローラ５０３とが接触できる給紙位置までの間で揺動するセットガイド５０７と、モータが発生する駆動力によりセットガイド５０７を揺動させるセットガイド揺動装置５０９と、フラップ５０５及びセットガイド５０７が待機位置である場合にフラップ５０５の給紙位置への揺動を禁止する係止機構５１１（具体的には、係止突起５１３及び係止凹部５１５）と、を備える構成である。
【０００４】
この給紙装置では、スキャナ装置による用紙Ｐの読取指示があると、図９（Ａ）に示すように、揺動アーム５２３の揺動に伴い、セットガイド５０７が給紙位置方向Ｄに揺動する。セットガイド５０７が給紙位置方向Ｄに揺動すると、図９（Ｂ）に示すように、係止凹部５１５から係止突起５１３が離脱し、フラップ５０５の給紙位置方向Ｄへの揺動が許容される。セットガイド５０７が給紙位置方向Ｄに更に揺動すると、フラップ５０５及びピックアーム５２５が押圧方向Ｅに移動し、ピックアーム５２５が用紙Ｐをセットローラ５０３に押圧する。
【０００５】
セットガイド５０７と接触していた最下部の用紙Ｐは、ピックアーム５２５に押圧方向Ｅに押圧されることで、セットローラ５０３と接触する。セットローラ５０３は、プラス方向Ａに回転しているので、最下部の用紙Ｐを搬送方向Ｂへ搬送する。フラップ５０５は、給紙位置への揺動が許容されている。用紙Ｐは、先端部がフラップ５０５に衝突する。フラップ用ばね５２７がフラップ５０５に作用する付勢力は、用紙Ｐに作用する搬送方向Ｂへの搬送力よりも小さい。これにより、フラップ５０５は、用紙Ｐを変形せずに用紙Ｐの搬送方向Ｂに移動させる。つまり、フラップ５０５は、図９（Ｃ）に示すように、セットローラ５０３により搬送方向Ｂへ搬送される最下部の用紙Ｐにより用紙Ｐの搬送方向Ｂへ搬送を許容する給紙位置まで揺動する。
【先行技術文献】
【特許文献】
【０００６】
【特許文献１】特開２００８−２０７９４４号公報
【発明の概要】
【発明が解決しようとする課題】
【０００７】
しかし、上記した特許文献１の給紙装置５０１は、給紙状態において、ピックアーム５２５による押圧方向Ｅへの用紙押圧、フラップ５０５の搬送方向Ｂへの揺動規制解除、セットガイド５０７の給紙位置方向Ｄへの揺動がほぼ同時に行われるため、用紙Ｐの先端部がフラップ５０５に衝突する。フラップ５０５は、フラップ用ばね５２７により用紙Ｐに接する方向に付勢して用紙Ｐに接する。フラップ５０５は、用紙Ｐがピックアーム５２５によって押圧方向Ｅに押圧されて図９（Ｃ）に示す給紙位置となるまで、用紙Ｐの先端部に接触しながら揺動する。このため、用紙Ｐは、フラップ５０５との摩擦により、先端が変形する（縒れる）場合があるので、用紙Ｐの先端部の変形により給紙性能が劣化することがある。
【０００８】
本発明は、上述した従来の事情に鑑みてなされたもので、簡素な構造で、用紙の先端部の変形を防止し、用紙の給紙性能の劣化を抑制するシート供給装置及び画像読取装置を提供することを目的とする。
【課題を解決するための手段】
【０００９】
本発明は、給紙ローラ駆動軸によって回転する給紙ローラと、揺動自在に支持され、シートのセット時に前記給紙ローラに前記シートが接触しないようにガイドする原稿ガイドと、前記給紙ローラ駆動軸に連動して回転し、前記シートの送り時に前記給紙ローラに前記シートが接触するように前記原稿ガイドを揺動させる原稿ガイドカムと、揺動自在に支持され、前記シートのセット時に前記シートの先端部が突き当たるゲートと、前記ゲートに係止し、前記シートの先端部が前記ゲートに突き当たる位置に前記ゲートの揺動を規制するゲートロックレバーと、前記給紙ローラ駆動軸に連動して回転し、前記シートの送り時の前記原稿ガイドの揺動が開始する前に前記ゲートロックレバーの前記ゲートに対する揺動の規制を解除するゲートロックレバーカムと、を備える、シート供給装置である。
【００１０】
この構成では、シートが給紙トレイにセットされた状態で、シートは、先端部が給紙ローラから離れた位置となるように原稿ガイドによってガイドされる。このとき同時に、シートはゲートに突き当たり、先端部の送り方向の位置が揃う。ゲートは、ゲートロックレバーによって揺動が規制されている。ゲートロックレバーは、ゲートロックレバーカムによってゲートに対する揺動が規制される。
【００１１】
ここで、読取装置によるシートの読取指示があると、給紙ローラ駆動軸の駆動により、給紙ローラがシートの送り方向に回転する。給紙ローラ駆動軸の回転により、ゲートロックレバーカム、原稿ガイドカムも回転する。ゲートロックレバーカム、原稿ガイドカムは、ゲートロックレバー、原稿ガイドに曲縁に接することで周期的な運動を与える。ゲートロックレバーカムは、１周期内にゲートロックレバーの揺動規制を解除する位相部分を有する。原稿ガイドカムは、１周期内に給紙ローラにシートが接触するように原稿ガイドを揺動させる位相部分を有する。同時に回転開始したゲートロックレバーカム、原稿ガイドカムは、更に回転すると、それぞれの位相部分の差異により、先ず、ゲートロックレバーカムがゲートロックレバーの揺動の規制を解除する。ゲートロックレバーによる規制が解除されたゲートは、原稿ガイドの揺動が開始される前に、シートの先端部との当接が解消される。これにより、シートの先端部は、ゲートと非接触又は接触していてもゲートからの反力を受けない状態となる。その結果、シートは、先端部の変形が防止される。
【００１２】
また、本発明は、前記給紙ローラの上方に前記原稿ガイドが配設され、前記原稿ガイドが下り傾斜方向に揺動することで、前記原稿ガイドにガイドされた最下層の前記シートが前記給紙ローラに接触する、シート供給装置である。
【００１３】
この構成では、シートの先端部が、下り傾斜方向に向くように原稿ガイドによってガイドされる。原稿ガイドは、更に下り傾斜方向（傾斜角度が大きくなる方向）に揺動されることで、最下層のシートを上方から給紙ローラに接触させる。なお、原稿ガイドは、給紙ローラとの干渉を回避する位置で、給紙ローラ駆動軸の軸線に沿う方向にずれて配置されている。これにより、シートのみが給紙ローラに接する。
【００１４】
従って、シートは、給紙ローラに接し、更に原稿ガイドが傾斜角度を大きくする方向に揺動されることで、シートに作用する重力も押しつける方向に働く。これにより、シートには、給紙ローラとの間に、送り方向に移動される摩擦力が生じる。
【００１５】
また、本発明は、前記給紙ローラが前記給紙ローラ駆動軸に結合し、前記原稿ガイドカム及び前記ゲートロックレバーカムがトルクリミッタを介して前記給紙ローラ駆動軸に連動され、前記給紙ローラ駆動軸を逆転させ前記原稿ガイドカム及び前記ゲートロックレバーカムの最大外径屈曲部をストッパに当て前記トルクリミッタを作動させることで、前記原稿ガイドカム及び前記ゲートロックレバーカムを回転方向の原点位置に復帰させる、シート供給装置である。
【００１６】
この構成では、給紙ローラ駆動軸を、シートの送り方向と反対方向に逆転させると、原稿ガイドカム、ゲートロックレバーカムの最大外径屈曲部がストッパに当たる。ストッパに当たった原稿ガイドカム、ゲートロックレバーカムは、トルクリミッタが作動することにより停止する。この位置が原稿ガイドカム、ゲートロックレバーカムの次の送り回転開始の原点位置となる。その結果、原稿ガイドカム、ゲートロックレバーカムは、給紙ローラ駆動軸を逆転させれば良い簡素な構造となり、容易に原点復帰させることができる。
【００１７】
更に、本発明は、上述したシート供給装置と、前記シート供給装置によって送られた前記シートの画像を読み取る読取装置と、を備える、画像読取装置である。
【００１８】
この画像読取装置によれば、シート供給装置によって搬送されたシートの画像が、読取装置によって読み取られる。読取装置としては、シートの搬送方向に直交する方向に複数の受光部を備えたラインセンサ等によって行われる。
【発明の効果】
【００１９】
本発明に係るシート供給装置によれば、簡素な構造で、シートの先端部の変形を防止して、シートの給紙性能の劣化を抑制することができる。
【００２０】
本発明に係る画像読取装置によれば、シートを確実に給紙し、画像読取の信頼性を向上させることができる。
【図面の簡単な説明】
【００２１】
【図１】本実施形態の画像読取装置の構成を示す斜視図
【図２】図１に示すシート供給装置の構成を示す斜視図
【図３】図２の一部を省略した要部拡大図
【図４】図３の平面図
【図５】（Ａ）待機時におけるゲートロックレバーの状態を表す動作説明図、（Ｂ）規制解除時におけるゲートロックレバーの状態を表す動作説明図、（Ｃ）給紙時のゲートロックレバーの状態を表す動作説明図
【図６】（Ａ）待機時における原稿ガイドの状態を表す動作説明図、（Ｂ）ゲートの規制解除時における原稿ガイドの状態を表す動作説明図、（Ｃ）給紙時の原稿ガイドの状態を表す動作説明図
【図７】（Ａ）シート供給装置の待機時における要部の模式図、（Ｂ）ゲートの揺動規制解除時における模式図、（Ｃ）原稿ガイドの揺動完了時における模式図
【図８】給紙ローラの回転角度に対する、ゲートロックレバーカム及び原稿ガイドカムの昇降高さとリタードばねチャージ量との関係の一例を示すグラフ
【図９】（Ａ）従来の給紙装置の待機状態の側面図、（Ｂ）従来の給紙装置の給紙開始時の側面図、（Ｃ）従来の給紙装置の給紙状態の側面図
【発明を実施するための形態】
【００２２】
以下、本発明に係るシート供給装置及び画像読取装置の実施形態（以下、「本実施形態」という）について、図面を参照して説明する。以下の本実施形態では、シート供給装置を含む画像読取装置を例示して説明する。
【００２３】
図１は、本実施形態の画像読取装置１１の構成を示す斜視図である。図２は、図１に示すシート供給装置１３の構成を示す斜視図である。図３は、図２の一部を省略した要部拡大図である。図４は、図３の平面図である。
【００２４】
図２に示すシート供給装置１３は、給紙ローラ１５と、原稿ガイド１７と、原稿ガイドカム１９と、ゲート２１と、ゲートロックレバー２３と、ゲートロックレバーカム２５と、を含む構成である。
【００２５】
給紙ローラ１５は、給紙ローラ駆動軸２７によって回転する。給紙ローラ駆動軸２７の軸端には、駆動軸歯車２９が固定される。給紙ローラ駆動軸２７は、モータ３１のピニオン３３の回転が複数の歯車を含む歯車群３５の駆動軸歯車２９に伝達することで、回転する。歯車群３５には、カム軸３７の軸端に固定されたカム歯車３９が噛合される。つまり、カム軸３７と給紙ローラ駆動軸２７との動作は連動する。
【００２６】
原稿ガイド１７は、装置フレーム（不図示）に揺動自在に支持される。原稿ガイド１７は、シート４１のセット時に、給紙ローラ１５にシート４１が接触しないように、シート４１をガイドする。原稿ガイド１７は、シート４１の先端両側を載置する一対のガイド片４３を有する。原稿ガイド１７は、ガイド片４３の反対側が共通支軸４５（図５（Ａ）〜（Ｃ）参照）によって回転自在に支持される。共通支軸４５は、装置フレーム（不図示）に支持される。
【００２７】
原稿ガイドカム１９は、カム軸３７に沿って設けられることで、給紙ローラ駆動軸２７に連動して回転する。原稿ガイドカム１９は、シート４１の送り時に、給紙ローラ１５にシート４１が接触するように原稿ガイド１７を揺動させる。また、原稿ガイドカム１９は、トルクリミッタ（不図示）を介してカム軸３７に沿って設けられている。
【００２８】
ゲート２１は、揺動自在にフレーム材４７に支持される。ゲート２１は、シート４１の先端部が突き当てられる一対の当接枠部４９を有する。即ち、シート４１のセット時に、ゲート２１の当接枠部４９にシート４１の先端部が突き当たる。また、ゲート２１には、係止突片５１が突設される。係止突片５１は、ゲートロックレバー２３に係止する。
【００２９】
ゲートロックレバー２３は、共通支軸４５に沿って回転自在に支持される。ゲートロックレバー２３は、図５（Ａ）〜（Ｃ）に示すように、側面視で略Ｌ形に形成される。ゲートロックレバー２３の起立先端には、ゲート２１の係止突片５１に係止するロック爪５３が形成される。ゲートロックレバー２３は、ゲート２１の係止突片５１に、ロック爪５３を係止して、シート４１の先端部がゲート２１に突き当たる位置にゲート２１の揺動を規制する。
【００３０】
ゲートロックレバーカム２５は、カム軸３７に沿って設けられることで、給紙ローラ駆動軸２７に連動して回転する。ゲートロックレバーカム２５は、シート４１の送り時において、原稿ガイド１７の揺動が開始される前に、ゲートロックレバー２３のゲート２１に対する揺動の規制を解除する。ゲートロックレバー２３は、下面をゲートロックレバーカム２５に接することで、ロック爪５３をゲート２１の係止突片５１に係止する。また、ゲートロックレバー２３は、下面をゲートロックレバーカム２５の異なる位相部分に接することで、係止突片５１に対するロック爪５３の係止を解除する。シート４１の送り時には、ゲートロックレバーカム２５の周縁によってゲートロックレバー２３の下面が下げられる。これにより、ゲート２１は、係止突片５１からロック爪５３が外れ、揺動規制が解除される。
【００３１】
また、シート供給装置１３は、給紙ローラ１５に当接して連れ回りする捌きローラ５５を有する。捌きローラ５５は、捌きローラ軸５７に設けられる。捌きローラ軸５７は、捌きローラ軸受５９に回転不能に支持される。捌きローラ軸受５９は、捌きローラ付勢ばね６１により、給紙ローラ１５に向かって付勢される。このため、給紙ローラ１５が回転すると、捌きローラ５５も捌きローラ軸５７を中心として給紙ローラ１５に連れ回りして回転する。捌きローラ５５は、トルクリミッタ（不図示）を介して捌きローラ軸５７に取り付けられる。トルクリミッタは、捌きローラ５５に一定値以上の回転負荷が加わると、捌きローラ軸５７に対して捌きローラ５５を空転させる。また、トルクリミッタと捌きローラ軸５７との間には、リタードばね（不図示）が設けられる。リタードばねは、捌きローラ５５に対して、シート４１の給紙方向とは反対にシート４１を戻す方向の回転力を与える。
【００３２】
シート供給装置１３は、シート４１の給紙開始時に、給紙ローラ１５によって捌きローラ５５を連れ回りさせる。連れ回りした捌きローラ５５は、リタードばねに捩り撓みが与えられる。つまり、捌きローラ５５には、シート４１の給紙方向とは反対にシート４１を戻す方向の回転力が蓄積される。捌きローラ５５は、所定の回転角度が回転したことによって戻り方向の回転力が蓄積されると、トルクリミッタが作動して捌きローラ軸５７と相対回転する。この所定の回転角度は、例えば１３５°程度に設定される。
【００３３】
従って、シート４１が重送されると、上層のシート４１には、捌きローラ５５によって給紙方向とは反対にシート４１を戻す方向の力が働く。これにより、捌きローラ５５は、給紙ローラ１５に接している最下層のシート４１と、上層のシート４１との間に滑りを生じさせる。その結果、最下層以外の重送された上層のシート４１は、捌きローラ５５によって送り方向（給紙方向）とは反対方向に戻されて、上層のシート４１と最下層のシート４１とが分離可能となる。
【００３４】
また、シート供給装置１３は、給紙ローラ１５の上方に、原稿ガイド１７が配設される。従って、原稿ガイド１７にガイドされた最下層のシート４１は、原稿ガイド１７が下り傾斜方向に揺動されることで給紙ローラ１５に接触する。
【００３５】
また、シート供給装置１３は、給紙ローラ１５がワンウェイクラッチを介して給紙ローラ駆動軸２７に結合されている。原稿ガイドカム１９及びゲートロックレバーカム２５は、トルクリミッタを介して給紙ローラ駆動軸２７に連動する。シート供給装置１３は、給紙ローラ駆動軸２７を逆転させ、原稿ガイドカム１９及びゲートロックレバーカム２５を原点復帰させる。原稿ガイドカム１９及びゲートロックレバーカム２５は、給紙ローラ駆動軸２７が逆転すると、原稿ガイドカム１９及びゲートロックレバーカム２５の最大外径屈曲部がストッパ６３（図７参照）に当たる。ストッパ６３に当たった原稿ガイドカム１９及びゲートロックレバーカム２５は、トルクリミッタが作動することで、停止する。この停止位置が、原稿ガイドカム１９及びゲートロックレバーカム２５の送り回転時の原点位置となる。
【００３６】
また、給紙装置には、原稿補助ローラ６５（図７参照）が設けられる。原稿補助ローラ６５は、外周をゴムで構成し、スキュー横滑りを抑制するように働く。
【００３７】
更に、本実施形態の画像読取装置１１は、上述したシート供給装置１３と、読取装置６７（図１参照）と、を有する。読取装置６７は、シート供給装置１３によって送られたシート４１の画像を読み取る。読取装置６７としては、シート４１の搬送方向に直交する方向に複数の受光部６９を備えたラインセンサ７１等が用いられる。
【００３８】
次に、本実施形態のシート供給装置１３の作用について、図５（Ａ）〜（Ｃ）、図６（Ａ）〜（Ｃ）、図７（Ａ）〜（Ｃ）及び図８を参照して説明する。
【００３９】
図５（Ａ）は、待機時におけるゲートロックレバー２３の状態を表す動作説明図である。図５（Ｂ）は、規制解除時におけるゲートロックレバー２３の状態を表す動作説明図である。図５（Ｃ）は、給紙時のゲートロックレバー２３の状態を表す動作説明図である。図６（Ａ）は、待機時における原稿ガイド１７の状態を表す動作説明図である。図６（Ｂ）は、ゲート２１の規制解除時における原稿ガイド１７の状態を表す動作説明図である。図６（Ｃ）は、給紙時の原稿ガイド１７の状態を表す動作説明図である。図７（Ａ）は、シート供給装置１３の待機時における要部の模式図である。図７（Ｂ）は、ゲート２１の揺動規制解除時における模式図である。図７（Ｃ）は、原稿ガイド１７の揺動完了時における模式図である。図８は、給紙ローラ１５の回転角度に対する、ゲートロックレバーカム２５及び原稿ガイドカム１９の昇降高さとリタードばねチャージ量との関係の一例を示すグラフである。
【００４０】
本実施形態のシート供給装置１３では、図７（Ａ）において、シート４１が給紙トレイにセットされた状態で、シート４１は、先端部が給紙ローラ１５から離れた位置となるように図６（Ａ）に示す状態の原稿ガイド１７によってガイドされる。また、このとき同時に、シート４１は、ゲート２１に突き当たり、先端部の送り方向（給紙方向）の位置が揃えられる。ゲート２１は、ゲートロックレバー２３によって揺動が規制されている。ゲートロックレバー２３は、図５（Ａ）に示すように、ゲートロックレバーカム２５によってゲート２１に対する揺動が規制されている。
【００４１】
図７（Ｂ）において、読取装置６７によるシート４１の読取指示があると、給紙ローラ駆動軸２７が駆動され、給紙ローラ１５がシート４１の送り方向（給紙方向）に回転する。給紙ローラ駆動軸２７の回転によって、ゲートロックレバーカム２５、原稿ガイドカム１９も回転する。
【００４２】
ゲートロックレバーカム２５、原稿ガイドカム１９は、ゲートロックレバー２３、原稿ガイド１７に曲縁に接することでこれらに周期的な運動を与える。ゲートロックレバーカム２５は、１周期内にゲートロックレバー２３の揺動規制を解除する位相部分を有する。また、ゲートロックレバーカム２５は、１周期内に給紙ローラ１５にシート４１が接触するように原稿ガイド１７を揺動させる位相部分を有する。
【００４３】
同時に、回転が開始したゲートロックレバーカム２５、原稿ガイドカム１９は、更に回転すると、それぞれの位相部分の差異によって、先ず、図５（Ｂ）に示すようにゲートロックレバーカム２５がゲートロックレバー２３の揺動の規制を解除する。
【００４４】
図８に示すように、給紙ローラ１５の回転角度θ１まで、原稿ガイド１７は、同一の位置に配置される。なお、捌きローラ５５には、戻り方向の回転力が蓄積され続ける。ゲートロックレバー２３による規制が解除されたゲート２１は、原稿ガイド１７の揺動が開始する前に、シート４１の先端部との当接規制が解消される。これにより、シート４１の先端部は、ゲート２１と非接触、または接触していてもゲート２１からの反力を受けない状態となる。その結果、シート４１は、先端部の変形が防止される。
【００４５】
なお、ゲート２１は、付勢ばねによって、シート４１の先端部から離反する方向に揺動されていることがより好ましい。
【００４６】
給紙ローラ駆動軸２７が更に回転されると、図６（Ｂ）に示すように、原稿ガイドカム１９が、給紙ローラ１５にシート４１の先端部を接触させるように、原稿ガイド１７の揺動を開始させる。シート４１は、原稿ガイド１７が揺動を完了するまでの間に、先端部が給紙ローラ１５に接する。
【００４７】
図７（Ｃ）において、原稿ガイド１７の揺動（下降）が完了すると、シート４１の先端部が給紙ローラ１５に接する。図５（Ｃ）及び図６（Ｃ）においても同様の状態を示す。
【００４８】
図８に示すように、この原稿ガイド１７の揺動が給紙ローラ１５の回転角度θ３にて完了する直前に、捌きローラ５５は、回転力の蓄積が給紙ローラ１５の回転角度θ２にて完了する。従って、捌きローラ５５と給紙ローラ１５との間に、複数枚のシート４１が同時に挿入されると（重送されると）、上層のシート４１は、捌きローラ５５によって送り方向（給紙方向）と反対方向に戻される。これにより、最下層のシート４１のみが、送り方向に回転している給紙ローラ１５との摩擦力によって、送り方向に移動される。
【００４９】
ゲートロックレバーカム２５、原稿ガイドカム１９は、ゲートロックレバー２３、原稿ガイド１７をそれぞれ作動させた後、更に回転されると、ストッパ６３に最大外径屈曲部が当たる。ストッパ６３に最大外径屈曲部が当たったゲートロックレバーカム２５、原稿ガイドカム１９は、トルクリミッタが作動することによって停止する。これにより、給紙ローラ駆動軸２７によって給紙ローラ１５のみの回転が継続され、シート４１の送りが完了される。
【００５０】
また、シート供給装置１３では、シート４１の先端部が、下り傾斜方向に向くように原稿ガイド１７によってガイドされている。原稿ガイド１７は、更に下り傾斜方向（傾斜角度が大きくなる方向）に揺動されることで、最下層のシート４１を上方から給紙ローラ１５に接触させる。なお、原稿ガイド１７は、給紙ローラ１５との干渉を回避する位置で、給紙ローラ駆動軸２７の軸線に沿う方向にずれて配置されている。これにより、シート４１のみが給紙ローラ１５に接する。
【００５１】
従って、シート４１は、給紙ローラ１５に接し、更に原稿ガイド１７が傾斜角度を大きくする方向に揺動されることで、シート４１に作用する重力も押しつける方向に働く。これにより、シート４１には、給紙ローラ１５との間に、送り方向に移動される摩擦力が生じる。
【００５２】
また、シート供給装置１３では、給紙ローラ駆動軸２７を、シート４１の送り方向と反対方向に逆転させると、原稿ガイドカム１９、ゲートロックレバーカム２５の最大外径屈曲部がストッパ６３に当たる。ストッパ６３に当たった原稿ガイドカム１９、ゲートロックレバーカム２５は、トルクリミッタが作動することにより、停止する。この位置が原稿ガイドカム１９、ゲートロックレバーカム２５の次の送り回転開始の原点位置となる。その結果、原稿ガイドカム１９、ゲートロックレバーカム２５は、給紙ローラ駆動軸２７を逆転させればよい簡素な構造となって、容易に原点復帰させることができる。
【００５３】
本実施形態の画像読取装置１１では、シート供給装置１３によって搬送されたシート４１の画像が、読取装置６７によって読み取られる。
【００５４】
従って、本実施形態のシート供給装置１３によれば、シート４１の先端部の変形を防止して、シート４１の給紙性能の向上を図ることができる。
【００５５】
また、本実施形態の画像読取装置１１によれば、シート４１の給紙を確実にして、画像読取の信頼性を向上させることができる。
【００５６】
以上、図面を参照しながら各種の実施形態について説明したが、本発明はかかる例に限定されないことは言うまでもない。当業者であれば、特許請求の範囲に記載された範疇内において、各種の変更例または修正例に想到し得ることは明らかであり、それらについても当然に本発明の技術的範囲に属するものと了解される。
【産業上の利用可能性】
【００５７】
本発明は、簡素な構造で、シートの先端部の変形を防止して、シートの給紙性能の劣化を抑制するシート供給装置及び画像読取装置として有用である。
【符号の説明】
【００５８】
１１  画像読取装置
１３  シート供給装置
１５  給紙ローラ
１７  原稿ガイド
１９  原稿ガイドカム
２１  ゲート
２３  ゲートロックレバー
２５  ゲートロックレバーカム
２７  給紙ローラ駆動軸
４１  シート
６３  ストッパ
６７  読取装置
【図１】
2015160688.tif 000003
【図２】
2015160688.tif 000004
【図３】
2015160688.tif 000005
【図４】
2015160688.tif 000006
【図５】
2015160688.tif 000007
【図６】
2015160688.tif 000008
【図７】
2015160688.tif 000009
【図８】
2015160688.tif 000010
【図９】
2015160688.tif 000011